(57)【要約】【課題】迅速に組立てることができる物干し用折畳式ハンガーを提供する。【解決手段】ベース１０とロッド２０を有する物干し用折畳式ハンガーであって、前記ベース１０に上下方向に貫通する複数の位置決め溝１１が形成されると共に、ベース１０の周縁における位置決め溝１１に切欠部１１１を有する止めプレート１１２が設けられ、該止めプレート１１２に対する位置決め溝１１の内側面に枢設ブロック１１３が設けられ、前記ロッド２０は該ベース１０の位置決め溝１１に設置され、該ロッド２０の側面にロッド２０と平行すると共に、枢設ブロック１１３を収容する溝２１が形成され、ベース１０の位置決め溝１１に対するロッド２０の溝２１に枢設ブロック１１３を嵌入するための枢設凹部２１１が形成されると共に、溝２１の中段に位置決めブロック２１２が設けられることを特徴とする。【選択図】  図１
2005137657.tif 000002
【特許請求の範囲】
【請求項１】
ベース１０にロッド２０の基端部が枢設されるようにした物干し用折畳式ハンガーであって、
前記ベース１０に上下方向に貫通する複数の位置決め溝１１が形成されると共に、ベース１０の前記位置決め溝１１に対応する外周面に切欠部１１１を有する止めプレート１１２を有し、且つ前記位置決め溝１１の対応する内側壁面には互いに突設した枢設ブロック１１３が設けられてなり、
前記ロッド２０は前記ベース１０の位置決め溝１１に配置された状態で、該ロッド２０の側面となる部分に前記枢設ブロック１１３を収容するための溝２１が前記ロッド２０の長手方向と平行して形成されると共に、前記溝２１の基端部には前記枢設ブロック１１３を嵌入するための枢設凹部２１１が形成され、且つ前記溝２１の中段には位置決めブロック２１２が設けられていることを特徴とする物干し用折畳式ハンガー。
【請求項２】
前記ロッド２０の両端部上面には夫々挟持プレート２２が設けられると共に、一端の端部にリング部２３が設けられることを特徴とする請求項１に記戦の物干し用折畳式ハンガー。
【請求項３】
前記ベース１０の中央に緊縛部材１２１を有する中空の位置決めパイプ１２が設けられることを特徴とする請求項１又は２に記載の物干し用折畳式ハンガー。
【発明の詳細な説明】
【技術分野】
【０００１】
本発明は、特に迅速に組立てることができる物干し用折畳式ハンガーに関するものである。
【背景技術】
【０００２】
物干し用ハンガーはベランダや庭などで、例えば衣服、靴下、タオルなどを干すために使用されるものであり、従来の物干し用ハンガーは吊り掛け用のベースを有し、該ベースに複数の位置決め溝が形成されると共に、これら位置決め溝にロッドが枢設されており、洗濯物をそのロッドに掛けることにより洗濯物を干すことができる。尚、上記従来の物干し用ハンガーの構成を記載した先行特許文献又は刊行物は特に見当らない。
又、前記従来の物干し用ハンガーを使用しない時は、ロッドを上方へ折畳んで収納することができるので、ベランダなどの狭い空問でも邪魔にならない。
【発明の開示】
【発明が解決しようとする課題】
【０００３】
しかしながら、上記の従来の物干し用ハンガーには、以下のような問題点を有する。
１．ロッドはベースの位置決め溝に枢設されることから、該ロッドを位置決め溝から取り出す際、所定の力が必要となるので、ロッドとべースが壊れやすいと共に、組立ても非常に不便である。
２．従来の物干し用ハンガーはプラスチックからなり、長時間に亘り直射日光を受けると樹脂変形してしまう恐れがあることから、使用者は使用後に必ずハンガーを屋内に移動させる必要があるので、使用上、非常に不便である。
３．前記ロッドはベースの上方に折畳むことはできるが、前記位置決め溝には折畳んだロッドの固定部材がないので、使用者がベランダや庭で何かしている時に、ロッドが身体や頭に落下して、けがをする恐れがある。
【０００４】
そこで、出願されたのが本発明であって、迅速に組立てることができる物干し用折畳式ハンガーを提供することを目的としている。
【課題を解決するための手段】
【０００５】
本願の請求項１の発明は、ベース１０とロッド２０を有する物干し用折畳式ハンガーであって、前記ベース１０に上下方向に貫通する複数の位置決め溝１１が形成されると共に、ベース１０の周縁における位置決め溝１１に切欠部１１１を有する止めプレート１１２が設けられ、該止めプレート１１２に対する位置決め溝１１の内側面に枢設ブロック１１３が設けられ、前記ロッド２０は該ベース１０の位置決め溝１１に設置され、該ロッド２０の側面にロッド２０と平行すると共に、枢設ブロック１１３を収容する溝２１が形成され、ベース１０の位置決め溝１１に対するロッド２０の溝２１に枢設ブロック１１３を嵌入するための枢設凹部２１１が形成されると共に、溝２１の中段に位置決めブロック２１２が設けられることを特徴とする。
【０００６】
本願の請求項２の発明は、請求項１に記載の物干し用折畳式ハンガーにおいて、前記ロッド２０の両端上面に夫々挟持プレート２２が設けられると共に、一端の端部にリング部２３が設けられることを特徴とする。
【０００７】
本願の請求項３の発明は、請求項１又は２に記載の物干し用折畳式ハンガーにおいて、前記ベース１０の中央に緊縛部材１２１を有する中空の位置決めパイプ１２が設けられることを特微とする。
【発明の効果】
【０００８】
本発明は上記の課題を解決するものであり、ベースに軸回転自在のロッドが設けられると共に、ベースにロッドを位置決めできる溝が形成されることから、ロッドを容易に着脱できるので、組立や使用時の利便性を高めることができる。
【発明を実施するための最良の形態】
【０００９】
以下、添付図面を参照して本発明の好適な実施の形態を詳細に説明する。
【実施例１】
【００１０】
図１は本発明に係る物干し用折畳式ハンガーの実施例を示す一部分解斜視図であり、図２は本発明に係る物干し用折畳式ハンガーの組立状態を示す要部断面図であり、図３本発明に係る物干し用折畳式ハンガーの組立後の断面図であり、図４は本発明に係る物干し用折畳式ハンガーの平面図であり、図５は本発明に係る物干し用折畳式ハンガーの使用状態を示す斜視図であり、図６は本発明に係る物干し用折畳式ハンガーにおけるロッドを下方へ移動する状態を示す断面図である。
【００１１】
図１に示すように、本発明に係る物干し用折畳式ハンガーは、ベース１０とロッド２０を有し、ベース１０は半円形状、円形状、或いは多辺形形状とすることが可能であるが、本発明における実施例１のベース１０の形状は、半円形状を採用したものについて説明する。
【００１２】
前記ベース１０には上下方向に貫通する所定の間隔で放射状に形成された複数の位置決め溝１１が設けられると共に、ベース１０の位置決め溝１１に対応する外周面に切欠部１１１を有する止めプレート１１２が形成されており、該止めプレート１１２に対する位置決め溝１１の内側面に枢設ブロック１１３が突設されている。また、前記ベース１０の中央には緊縛部材１２１を有する中空の位置決めパイプ１２が設けられる。
【００１３】
前記ロッド２０は、前記ベース１０の位置決め溝１１に水平状態にその基部を設置することにより、衣服、靴下、タオルなどの洗濯物を掛けて乾燥に供することが可能となる。また、前記ロッド２０の側面にはロッド２０の長手方向と平行する状態に前記枢設ブロック１１３が係合する溝２１が形成されている。    
【００１４】
前記ベース１０の位置決め溝１１に対するロッド２０の溝２１に枢設ブロック１１３を嵌入係合するための枢設凹部２１１が形成されると共に、溝２１の中段に位置決めブロック２１２が設けられ、又、ロッド２０の両端上面に夫々挟持プレート２２が設けられることにより、ロッド２０に掛ける衣服、靴下、タオルなどの洗濯物を固定することができる。
【００１５】
図２に示すように、前記ロッド２０を組立する際、枢設ブロック１１３をロッド２０の枢設凹部２１１に嵌入することによってロッド２０の端部が位置決め溝１１に枢設され、更に、図３及び図４に示すように、該ロッド２０が枢設ブロック１１３を回転中心として水平状に旋回されると共に、該ロッド２０の下面を止めプレート１１２に当接することにより、ロッド２０を支持する。
【００１６】
本発明に係る物干し用折畳式ハンガーを使用する場合には、繋紐、掛け部材によってベランダ又は庭に使用することができ、又は、図５に示すように、ベース１０を位置決めパイプ１２と緊縛部材１２１によって物干し座３０の立設ロッド３１に固定させるように使用することができる。
【００１７】
更に、図３及び図６に示すように、本発明に係る物干し用折畳式ハンガーを使用しない時は、ロッド２０を枢設ブロック１１３を回転中心として旋回させ、枢設ブロック１１３を溝２１に沿って位置決めブロック２１２まで移動させることにより、該ロッド２０を直立状態にしてベース１０の位置決め溝１１に収容することができるようになっている。
【００１８】
又、図２及び図３に示すように、前記ロッド２０をベース１０から取り外す際は、前記枢設ブロック１１３を溝２１に沿って枢設凹部２１１へ移動させた後、該枢設ブロック１１３を枢設凹部２１１から取り外すことにより、ロッド２０とベース１０とを分離することができ、非常に便利である。
【実施例２】
【００１９】
図７は本発明に係る物干し用折畳式ハンガーにおけるロッドの他の実施例を示す斜視図であり、図８は本発明に係る物干し用折畳式ハンガーの他の実施例の使用状態を示す斜視図である。
【００２０】
この第２実施例は、上述の第１実施例とほぼ同様であるが、ベース１０に取り付けるロッドの形状が異なるものであるため、同一部分には同一符号を付して説明を省略し、異なる点について以下説明する。
【００２１】
図７に示すように、ロッド２０の遊端部にはリング部２３が設けられた形状となっている。従って、ロッド２０の基端を位置決め溝１１に設置してベース１０に枢着した後、図８に示すように、前記二つのベース１０を夫々物干し座３０の立設ロッド３１に固定させると共に、その対応するベース１０におけるロッド２０の遊端部に設けたリング部２３の貫通穴に掛けロッド４０が配設可能となり、該掛けロッド４０に衣服、靴下、タオルなどの洗濯物を掛け乾燥に供することができる。
【００２２】
本発明の各実施例によれば、上記構成を有するので、以下のような効果を達成するできる。
１．ロッドの組立は簡単にすることができるので、使用の需要によって異なる効果（例えば、リング部を有するロッド、上面に挟持プレートを有するロッドなど）を有するロッドに交換することができる。
２．使用した後、ロッドを簡単にベースから取り外すことができるので、日照りに晒すことによる樹脂変形を防止でき、更に、使用後、使用者は物干し全体を屋内に収納する必要がなく、ロッドだけを取り外すことにより、簡単に物干し用ハンガーを収納することができる。
３．ロッドは直立にしてベースに収納した後は、外力によって落ちることがないので、使用者がベランダで何かする時でも、邪魔にならない。
【図面の簡単な説明】
【００２３】
【図１】本発明に係る物干し用折畳式ハンガーの第１実施例を示す一部分解斜視図である。
【図２】本発明に係る物干し用折畳式ハンガーを組立している際の断面図である。
【図３】本発明に係る物干し用折畳式ハンガーの組立後の断面図である。
【図４】本発明に係る物干し用折畳式ハンガーの平面図である。
【図５】本発明に係る物干し用折畳式ハンガーの使用状態を示す斜視図である。
【図６】本発明に係る物干し用折畳式ハンガーにおけるロッドを下方へ移動する状態を示す断面図である。
【図７】本発明に係る物干し用折畳式ハンガーにおけるロッドの第２実施例を示す斜視図である。
【図８】本発明に係る物干し用折畳式ハンガーの他の使用状態を示す斜視図である。
【符号の説明】
【００２４】
１０    ベース
１１    位置決め溝
１１１  切欠部
１１２  止めプレート
１１３  枢設ブロック
１２    位置決めパィプ
１２１  緊縛部材
２０    ロッド
２１    溝
２１１  枢設凹部
２１２  位置決めブロック
２２    挟持プレート
２３    リング部
３０    物干し座
３１    立設ロッド
４０    掛けロッド
【図１】
2005137657.tif 000003
【図２】
2005137657.tif 000004
【図３】
2005137657.tif 000005
【図４】
2005137657.tif 000006
【図５】
2005137657.tif 000007
【図６】
2005137657.tif 000008
【図７】
2005137657.tif 000009
【図８】
2005137657.tif 000010